(57)【要約】【課題】コストを抑えつつ容易に成形することが可能な外装部材、その外装部材を備えたワイヤハーネス及び外装部材の成形方法を提供すること。【解決手段】内部に挿通された電線１を保護する可撓性を有する中空形状の外装部材１２であって、長手方向の所定箇所に、屈曲された屈曲部２１が形成され、屈曲部２１における屈曲の内側は、屈曲部２１における屈曲の外側よりも可撓性が低くされた低可撓部２２とされている。【選択図】図１
2017055553.tif 000002
【特許請求の範囲】
【請求項１】
内部に挿通された電線を保護する可撓性を有する中空形状の外装部材であって、
長手方向の所定箇所に、屈曲された屈曲部が形成され、
前記屈曲部における屈曲の内側は、前記屈曲部における屈曲の外側よりも可撓性が低くされた低可撓部とされている
ことを特徴とする外装部材。
【請求項２】
周方向に沿う複数の谷部と山部とが軸方向へ交互に形成された蛇腹形状に形成され、
前記屈曲部における屈曲の内側における前記山部同士が互いに固着されて前記低可撓部とされている
ことを特徴とする請求項１に記載の外装部材。
【請求項３】
周方向に沿う複数の谷部と山部とが軸方向へ交互に形成された蛇腹形状に形成され、
前記屈曲部における屈曲の内側は、前記谷部及び前記山部のない平滑部を有し、前記平滑部が前記低可撓部とされている
ことを特徴とする請求項１に記載の外装部材。
【請求項４】
前記屈曲部における屈曲の内側の一部が軸方向に沿って押し潰されて前記低可撓部とされている
ことを特徴とする請求項１に記載の外装部材。
【請求項５】
請求項１から請求項４のいずれか一項に記載の外装部材に複数本の電線が挿通されている
ことを特徴とするワイヤハーネス。
【請求項６】
内部に挿通された電線を保護する可撓性を有する中空形状の外装部材に屈曲部を成形する外装部材の成形方法であって、
直線状の前記外装部材の長手方向における所定位置で屈曲させた状態に保持する保持工程と、
屈曲部分における屈曲の内側を軟化させた後に硬化させることで、屈曲部分における屈曲の内側を屈曲部分における屈曲の外側よりも可撓性の低い低可撓部とする成形工程と、
を含むことを特徴とする外装部材の成形方法。
【請求項７】
前記成形工程において、前記外装部材の屈曲部分における屈曲の内側を加熱して軟化させた後に冷却する熱処理を行うことで前記低可撓部を形成する
ことを特徴とする請求項６に記載の外装部材の成形方法。
【請求項８】
前記熱処理において、前記外装部材をヒータに巻き付けるように屈曲させた状態で、前記ヒータによって前記外装部材の屈曲部分における屈曲の内側を加熱する
ことを特徴とする請求項７に記載の外装部材の成形方法。
【請求項９】
前記熱処理において、前記外装部材の屈曲部分における屈曲の内側に温風を吹き付けて加熱する
ことを特徴とする請求項７に記載の外装部材の成形方法。
【請求項１０】
前記成形工程において、前記外装部材の屈曲部分における屈曲の内側を押し潰して超音波振動を付与することで、前記外装部材の屈曲部分における屈曲の内側における押し潰した部分を溶着して硬化させて前記低可撓部とする
ことを特徴とする請求項６に記載の外装部材の成形方法。
【発明の詳細な説明】
【技術分野】
【０００１】
本発明は、外装部材、ワイヤハーネス及び外装部材の成形方法に関する。
【背景技術】
【０００２】
内部に挿通された電線を保護する中空形状の外装部材の形状を維持させる技術として、外装部材の外周にモールドを成形したり、接着材を塗布して固めるものが知られている（例えば、特許文献１，２参照）。
【０００３】
また、外装部材に余肉部を形成しておき、外装部材の外周面に転動させた加熱ローラで余肉部を溶融させて外装部材の谷部に流し込んで固める技術も知られている（例えば、特許文献３参照）。
【先行技術文献】
【特許文献】
【０００４】
【特許文献１】特開２０１３−４２６４６号公報
【特許文献２】特開２０１５−４７０１５号公報
【特許文献３】特開２０１５−４２０１２号公報
【発明の概要】
【発明が解決しようとする課題】
【０００５】
しかしながら、上記特許文献１，２に記載の技術では、外装部材を固めるためのモールド樹脂や接着材を要し、また、金型や接着材の塗布装置が必要であるため、コストが嵩み、しかも、モールド成形作業及び接着材の塗布作業に多大な手間を要する。
【０００６】
また、上記特許文献３に記載の技術においても、外装部材に予め余肉部を形成しておかなければならず、このため、コストが嵩み、しかも、外装部材の外周に加熱ローラを転動させる作業に手間を要する。
【０００７】
本発明は、上述した事情に鑑みてなされたものであり、その目的は、コストを抑えつつ容易に成形することが可能な外装部材、その外装部材を備えたワイヤハーネス及び外装部材の成形方法を提供することにある。
【課題を解決するための手段】
【０００８】
前述した目的を達成するために、本発明に係る外装部材及びワイヤハーネスは、下記（１）〜（５）を特徴としている。
（１）  内部に挿通された電線を保護する可撓性を有する中空形状の外装部材であって、
長手方向の所定箇所に、屈曲された屈曲部が形成され、
前記屈曲部における屈曲の内側は、前記屈曲部における屈曲の外側よりも可撓性が低くされた低可撓部とされている
ことを特徴とする外装部材。
（２）  周方向に沿う複数の谷部と山部とが軸方向へ交互に形成された蛇腹形状に形成され、
前記屈曲部における屈曲の内側における前記山部同士が互いに固着されて前記低可撓部とされている
ことを特徴とする（１）に記載の外装部材。
（３）  周方向に沿う複数の谷部と山部とが軸方向へ交互に形成された蛇腹形状に形成され、
前記屈曲部における屈曲の内側は、前記谷部及び前記山部のない平滑部を有し、前記平滑部が前記低可撓部とされている
ことを特徴とする（１）に記載の外装部材。
（４）  前記屈曲部における屈曲の内側の一部が軸方向に沿って押し潰されて前記低可撓部とされている
ことを特徴とする（１）に記載の外装部材。
（５）  （１）から（４）のいずれかに記載の外装部材に複数本の電線が挿通されている
ことを特徴とするワイヤハーネス。
【０００９】
上記（１）の構成の外装部材では、屈曲部における屈曲の内側が、屈曲の外側よりも可撓性が低くされた低可撓部とされていることで、屈曲された状態に維持される。また、屈曲部における屈曲の内側の可撓性を外側よりも低くした構造であるので、モールドや接着材で固めたり、予め外周側に設けた余肉部を溶かして谷部に流し込むものと比較し、容易にかつ低コストで成形することができる。尚、可撓性が低いとは、弾性回復が発揮され難いこと、言い換えれば、元の形状へ戻り難いことを指す表現である。
上記（２）の構成の外装部材では、屈曲部の内側における山部同士が互いに固着された低可撓部を有することで、屈曲状態を確実に維持させることができる。
上記（３）の構成の外装部材では、屈曲部における屈曲の内側が平滑部とされ、屈曲部における屈曲の外側が可撓性の高い蛇腹形状とされているので、屈曲部での屈曲状態を確実に維持させることができる。
上記（４）の構成の外装部材では、屈曲部における屈曲の内側の一部が軸方向に沿って押し潰されて低可撓部とされているので、屈曲部での屈曲状態を確実に維持させることができる。
上記（５）の構成のワイヤハーネスでは、外装部材によって複数本の電線が保護される。また、配索経路に合わせて屈曲部を有する外装部材を配置させることで、電線を所定の配索経路に沿って配線することができる。
【００１０】
また、上述した目的を達成するために、本発明に係る外装部材の成形方法は、下記（６）〜（１０）を特徴としている。
（６）  内部に挿通された電線を保護する可撓性を有する中空形状の外装部材に屈曲部を成形する成形方法であって、
直線状の前記外装部材の長手方向における所定位置で屈曲させた状態に保持する保持工程と、
屈曲部分における屈曲の内側を軟化させた後に硬化させることで、屈曲部分における屈曲の内側を屈曲部分における屈曲の外側よりも可撓性の低い低可撓部とする成形工程と、
を含むことを特徴とする外装部材の成形方法。
（７）  前記成形工程において、前記外装部材の屈曲部分における屈曲の内側を加熱して軟化させた後に冷却する熱処理を行うことで前記低可撓部を形成する
ことを特徴とする（６）に記載の外装部材の成形方法。
（８）  前記熱処理において、前記外装部材をヒータに巻き付けるように屈曲させた状態で、前記ヒータによって前記外装部材の屈曲部分における屈曲の内側を加熱する
ことを特徴とする（７）に記載の外装部材の成形方法。
（９）  前記熱処理において、前記外装部材の屈曲部分における屈曲の内側に温風を吹き付けて加熱する
ことを特徴とする（７）に記載の外装部材の成形方法。
（１０）  前記成形工程において、前記外装部材の屈曲部分における屈曲の内側を押し潰して超音波振動を付与することで、前記外装部材の屈曲部分における屈曲の内側における押し潰した部分を溶着して硬化させて前記低可撓部とする
ことを特徴とする（６）に記載の外装部材の成形方法。
【００１１】
上記（６）の構成の外装部材の成形方法では、屈曲の内側が低可撓部とされて屈曲状態が維持された屈曲部を有する外装部材を、コストを抑えつつ容易に得ることができる。
上記（７）の構成の外装部材の成形方法では、外装部材の屈曲部分における屈曲の内側を加熱して軟化させた後に冷却する熱処理を行うことで、屈曲の内側に低可撓部を容易に形成することができる。
上記（８）の構成の外装部材の成形方法では、ヒータによって外装部材の屈曲部分における屈曲の内側を容易に加熱することができる。
上記（９）の構成の外装部材の成形方法では、外装部材の屈曲部分における屈曲の内側に温風を吹き付けることで、屈曲の内側を容易に加熱することができる。
上記（１０）の構成の外装部材の成形方法では、外装部材の屈曲部分における屈曲の内側で押し潰した部分を容易に溶着して硬化させて低可撓部とすることができる。
【発明の効果】
【００１２】
本発明によれば、コストを抑えつつ容易に成形することが可能な外装部材、その外装部材を備えたワイヤハーネス及び外装部材の成形方法を提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、第１実施形態に係る外装部材を備えたワイヤハーネスの平面図である。
【図２】図２は、第１実施形態に係る外装部材の成形方法を説明する図であって、図２（ａ）及び図２（ｂ）は、それぞれ外装部材の平面図である。
【図３】図３は、第１実施形態に係る外装部材の成形方法の他の例を説明する外装部材の平面図である。
【図４】図４は、第２実施形態に係る外装部材の平面図である。
【図５】図５は、第２実施形態に係る外装部材の成形方法を説明する図であって、図５（ａ）及び図５（ｂ）は、それぞれ外装部材の平面図である。
【図６】図６は、第３実施形態に係る外装部材を説明する図であって、図６（ａ）は外装部材の平面図、図６（ｂ）は外装部材の側面図である。
【図７】図７は、第３実施形態に係る外装部材の成形方法を説明する外装部材の側面図である。
【発明を実施するための形態】
【００１５】
以下、本発明に係る外装部材、ワイヤハーネスおよび外装部材の成形方法の実施の形態の例を、図面を参照して説明する。
【００１６】
（第１実施形態）
まず、第１実施形態について説明する。
図１は、第１実施形態に係る外装部材を備えたワイヤハーネスの平面図である。
【００１７】
図１に示すように、第１実施形態に係る外装部材１２は、中空形状に形成された、いわゆるコルゲートチューブである。この外装部材１２は、周方向にわたる複数の谷部１２ａと山部１２ｂとが軸方向に交互に形成された蛇腹形状とされている。外装部材１２は、可撓性を有しており、全長にわたって屈曲可能とされている。外装部材１２は、軟質な合成樹脂から成形されたもので、金型を用いた押出成形によって成形されている。外装部材１２の材料となる合成樹脂としては、例えば、熱可塑性樹脂が用いられる。
【００１８】
外装部材１２は、その長手方向における所定位置に、屈曲部２１が形成されている。屈曲部２１では、外装部材１２が屈曲されている。外装部材１２は、屈曲部２１における屈曲の内側が低可撓部２２とされている。低可撓部２２は、屈曲部２１における屈曲の外側と比較して可撓性が低くされている。
【００１９】
この外装部材１２の屈曲部２１における屈曲の内側の低可撓部２２では、各山部１２ｂが近接され、それぞれの山部１２ｂ同士が溶着されている。これにより、屈曲部２１における屈曲の内側は、可撓性が低くされた低可撓部２２とされ、屈曲した状態が維持されている。
【００２０】
外装部材１２には、複数本の電線１からなる電線束２が挿通されている。そして、この電線１と、電線１の周囲を覆う外装部材１２とからワイヤハーネス１０が構成されている。このワイヤハーネス１０は、例えば、車両における所定の配索箇所に配索される。
【００２１】
このワイヤハーネス１０では、外装部材１２によって電線束２の各電線１が保護され、配索箇所の周辺の部材等との接触による電線１の損傷が防がれる。また、ワイヤハーネス１０では、外装部材１２の屈曲部２１において、電線１の方向が変更される。これにより、電線１が所定の配索経路に沿って配線される。
【００２２】
このように、第１実施形態に係る外装部材１２によれば、屈曲部２１における屈曲の内側が、屈曲の外側よりも可撓性が低くされた低可撓部２２とされていることで、所定方向へ屈曲された状態に維持される。また、屈曲部２１における屈曲の内側の可撓性を外側よりも低くして屈曲を維持する構造であるので、モールドや接着材で固めたり、予め外周側に設けた余肉部を溶かして谷部に流し込むものと比較し、容易にかつ低コストで成形することができる。
【００２３】
特に、屈曲部２１における屈曲の内側に山部２１ｂ同士が互いに固着された低可撓部２２を有することで、屈曲状態を確実に維持させることができる。
【００２４】
そして、この外装部材１２を備えるワイヤハーネス１０によれば、外装部材１２によって複数本の電線１を保護することができる。また、配索経路に合わせて屈曲部２１を有する外装部材１２を配置させることで、電線１を所定の配索経路に沿って配線することができる。
【００２５】
次に、屈曲部２１を有する上記構成の外装部材１２の成形方法について説明する。
図２は、第１実施形態に係る外装部材の成形方法を説明する図であって、図２（ａ）及び図２（ｂ）は、それぞれ外装部材の平面図である。
【００２６】
（保持工程）
直線状の外装部材１２を、長手方向の所定位置で屈曲させ、屈曲状態に保持する。具体的には、図２（ａ）に示すように、円柱状のヒータ３１を用意し、ヒータ３１を外装部材１２の長手方向における屈曲部２１の形成位置の側方に配置させる。次に、図２（ｂ）に示すように、ヒータ３１の外周面の一部に外装部材１２を巻き付けるように外装部材１２をヒータ３１側（図２（ｂ）中矢印Ａ方向）へ屈曲させる。
【００２７】
このようにすると、外装部材１２は、その屈曲部分の内側において、山部１２ｂがヒータ３１の外周面に当接される。
【００２８】
（成形工程）
ヒータ３１へ通電して発熱させ、外装部材１２の屈曲部分における屈曲の内側を加熱させる。すると、外装部材１２の屈曲部分における屈曲の内側において、山部１２ｂが軟化し、その軟化した樹脂で山部１２ｂ同士が繋がった状態となる。
【００２９】
その後、ヒータ３１への通電を止めて外装部材１２を冷却し、軟化した樹脂を硬化させる。これにより、外装部材１２は、その屈曲部分における屈曲の内側が屈曲した状態で硬化し、また、山部１２ｂ同士が互いに連結した状態となり、屈曲の内側が屈曲の外側よりも可撓性の低い低可撓部２２とされた屈曲部２１が形成される。
【００３０】
このように、上記外装部材１２の成形方法によれば、屈曲の内側が低可撓部２２とされて屈曲状態が維持された屈曲部２１を有する外装部材１２を、コストを抑えつつ容易に得ることができる。
【００３１】
しかも、外装部材１２の屈曲部分における屈曲の内側を加熱して軟化させた後に冷却する熱処理を行うことで、屈曲の内側に低可撓部２２を容易に形成することができる。
【００３２】
特に、ヒータ３１を用いれば、成形工程における熱処理において、ヒータ３１によって外装部材１２の屈曲部分における屈曲の内側を容易に加熱することができる。
【００３３】
なお、上記実施形態では、外装部材１２に接触させたヒータ３１によって外装部材１２を加熱して成形したが、外装部材１２を加熱する手段としては、ヒータ３１を接触させるものに限らない。
【００３４】
図３は、第１実施形態に係る外装部材の成形方法の他の例を説明する外装部材の平面図である。
【００３５】
図３に示すように、外装部材１２を加熱して成形する手段としては、例えば、所定方向（図３中矢印Ａ方向）へ屈曲させた外装部材１２に対して、その屈曲部分における屈曲の内側から温風ヒータ３２で温風ＨＡを吹き付けることで加熱して成形するものでも良い。
【００３６】
この場合も、外装部材１２は、その屈曲部分における屈曲の内側が温風ＨＡによって軟化し、その後、冷却されることで屈曲の内側が硬化し、屈曲の内側が屈曲の外側よりも可撓性の低い低可撓部２２とされた屈曲部２１が形成される。
【００３７】
このように、成形工程における熱処理において、外装部材１２の屈曲部分における屈曲の内側に温風ＨＡを吹き付けることで、屈曲の内側を容易に加熱して屈曲部２１を形成することができる。
【００３８】
（第２実施形態）
次に、第２実施形態について説明する。
なお、第１実施形態と同一構成部分は、同一符号を付して説明を省略する。
【００３９】
図４は、第２実施形態に係る外装部材の平面図である。図５は、第２実施形態に係る外装部材の成形方法を説明する図であって、図５（ａ）及び図５（ｂ）は、それぞれ外装部材の平面図である。
【００４０】
図４に示すように、第２実施形態に係る外装部材１２Ａは、屈曲部２１の屈曲の内側に、平滑部１３を有している。平滑部１３では、谷部１２ａ及び山部１２ｂが形成されておらず、凹凸のない平滑な面とされている。そして、この外装部材１２Ａでは、この平滑部１３が屈曲部２１の屈曲の内側に配置され、谷部１２ａ及び山部１２ｂを有する屈曲の外側よりも可撓性が低くされた低可撓部２２とされている。
【００４１】
そして、第２実施形態に係る外装部材１２Ａによれば、屈曲部２１における屈曲の内側が平滑部１３とされ、屈曲部２１における屈曲の外側が可撓性の高い蛇腹形状とされているので、屈曲部２１での屈曲状態を確実に維持させることができる。
【００４２】
この外装部材１２Ａを成形するには、図５（ａ）に示すように、平滑部１３を有する直線状の外装部材１２Ａを用意する。そして、図５（ｂ）に示すように、外装部材１２Ａを平滑部１３側（図５（ｂ）中矢印Ａ方向）へ屈曲させ、その屈曲状態に保持する（保持工程）。
【００４３】
次に、屈曲させた外装部材１２Ａの屈曲部分における屈曲の内側の平滑部１３に熱処理を行って低可撓部２２を形成する（成形工程）。
【００４４】
具体的には、屈曲させた外装部材１２Ａの屈曲部分における屈曲の内側に配置された平滑部１３を、ヒータ３１を接触させて加熱し、その後、ヒータ３１から離間させて冷却させる。なお、平滑部１３は、温風ヒータ３２で温風ＨＡを吹き付けて加熱しても良い。このようにすると、屈曲の内側で軟化した平滑部１３が硬化することで、平滑部１３が屈曲された形状となり、平滑な屈曲の内側が、蛇腹形状の屈曲の外側よりも可撓性の低い低可撓部２２とされた屈曲部２１が形成される。
【００４５】
このように、第２実施形態に係る外装部材１２Ａの成形方法の場合も、屈曲の内側が低可撓部２２とされて屈曲状態が維持された屈曲部２１を有する外装部材１２Ａを、コストを抑えつつ容易に得ることができる。
【００４６】
（第３実施形態）
次に、第３実施形態について説明する。
なお、第１実施形態と同一構成部分は、同一符号を付して説明を省略する。
【００４７】
図６は、第３実施形態に係る外装部材を説明する図であって、図６（ａ）は外装部材の平面図、図６（ｂ）は外装部材の側面図である。図７は、第３実施形態に係る外装部材の成形方法を説明する外装部材の側面図である。
【００４８】
図６（ａ）（ｂ）に示すように、第３実施形態に係る外装部材１２Ｂは、屈曲部２１における屈曲の内側の一部が軸方向に沿って押し潰されており、この押し潰された部分が低可撓部２２とされている。
【００４９】
このように、第３実施形態に係る外装部材１２Ｂによれば、屈曲部２１における屈曲の内側の一部が軸方向に沿って押し潰されて低可撓部２２とされているので、屈曲部２１での屈曲状態を確実に維持させることができる。
【００５０】
この外装部材１２Ｂを成形するには、直線状の外装部材１２Ｂの長手方向における所定位置を屈曲させ、その屈曲状態に保持する（保持工程）。
【００５１】
次に、屈曲させた外装部材１２Ｂの屈曲部分における屈曲の内側に超音波溶着処理を行うことで、低可撓部２２を形成する（成形工程）。
【００５２】
具体的には、図７に示すように、外装部材１２Ｂの屈曲部分における屈曲の内側を、超音波振動する共鳴体であるホーン４１と、このホーン４１の上方に昇降可能に設けられたアンビル４２との間に配置させる。この状態で、アンビル４２を下降させて屈曲の内側部分をホーン４１とアンビル４２とで挟持して押し潰す。その後、超音波発振器でホーン４１を超音波振動させる。このようにすると、外装部材１２Ｂは、その屈曲の内側部分が押し潰された状態で軟化する。
【００５３】
その後、ホーン４１の超音波振動を停止させ、アンビル４２を上昇させて外装部材１２Ｂをホーン４１とアンビル４２との間から取り出す。すると、外装部材１２Ｂは、その屈曲の内側部分が押し潰された状態で硬化した状態となり、屈曲の内側が屈曲の外側よりも可撓性の低い低可撓部２２とされた屈曲部２１が形成される。
【００５４】
このように、第３実施形態に係る外装部材１２Ｂの成形方法によれば、外装部材１２Ｂの屈曲部分における屈曲の内側で押し潰した部分を容易に溶着して硬化させて低可撓部２２を形成することができる。
【００５５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５６】
ここで、上述した本発明に係る外装部材、ワイヤハーネス及び外装部材の成形方法の実施形態の特徴をそれぞれ以下［１］〜［１０］に簡潔に纏めて列記する。
［１］  内部に挿通された電線（１）を保護する可撓性を有する中空形状の外装部材（１２，１２Ａ，１２Ｂ）であって、
長手方向の所定箇所に、屈曲された屈曲部（２１）が形成され、
前記屈曲部（２１）における屈曲の内側は、前記屈曲部（２１）における屈曲の外側よりも可撓性が低くされた低可撓部（２２）とされている
ことを特徴とする外装部材。
［２］  周方向に沿う複数の谷部（１２ａ）と山部（１２ｂ）とが軸方向へ交互に形成された蛇腹形状に形成され、
前記屈曲部（２１）における屈曲の内側における前記山部（１２ｂ）同士が互いに固着されて前記低可撓部（２２）が形成されている
ことを特徴とする［１］に記載の外装部材。
［３］  周方向に沿う複数の谷部（１２ａ）と山部（１２ｂ）とが軸方向へ交互に形成された蛇腹形状に形成され、
前記屈曲部（２１）における屈曲の内側は、前記谷部（１２ａ）及び前記山部（１２ｂ）のない平滑部（１３）を有し、前記平滑部（１３）が前記低可撓部（２２）とされている
ことを特徴とする［１］に記載の外装部材。
［４］  前記屈曲部（２１）における屈曲の内側の一部が軸方向に沿って押し潰されて前記低可撓部（２２）とされている
ことを特徴とする［１］に記載の外装部材。
［５］  ［１］から［４］のいずれかに記載の外装部材（１２，１２Ａ，１２Ｂ）に複数本の電線（１）が挿通されている
ことを特徴とするワイヤハーネス。
［６］  内部に挿通された電線（１）を保護する可撓性を有する中空形状の外装部材（１２，１２Ａ，１２Ｂ）に屈曲部（２１）を成形する成形方法であって、
直線状の前記外装部材（１２，１２Ａ，１２Ｂ）の長手方向における所定位置で屈曲させた状態に保持する保持工程と、
屈曲部分における屈曲の内側を軟化させた後に硬化させることで、屈曲部分における屈曲の内側を屈曲部分における屈曲の外側よりも可撓性の低い低可撓部（２２）とする成形工程と、
を含むことを特徴とする外装部材の成形方法。
［７］  前記成形工程において、前記外装部材（１２，１２Ａ）の屈曲部分における屈曲の内側を加熱して軟化させた後に冷却する熱処理を行うことで前記低可撓部（２２）を形成する
ことを特徴とする［６］に記載の外装部材の成形方法。
［８］  前記熱処理において、前記外装部材（１２，１２Ａ）をヒータ（３１）に巻き付けるように屈曲させた状態で、前記ヒータ（３１）によって前記外装部材（１２，１２Ａ）の屈曲部分における屈曲の内側を加熱する
ことを特徴とする［７］に記載の外装部材の成形方法。
［９］  前記熱処理において、前記外装部材（１２，１２Ａ）の屈曲部分における屈曲の内側に温風を吹き付けて加熱する
ことを特徴とする［７］に記載の外装部材の成形方法。
［１０］  前記成形工程において、前記外装部材（１２Ｂ）の屈曲部分における屈曲の内側を押し潰して超音波振動を付与することで、前記外装部材（１２Ｂ）の屈曲部分における屈曲の内側における押し潰した部分を溶着して硬化させて前記低可撓部（２２）とする
ことを特徴とする［６］に記載の外装部材の成形方法。
【符号の説明】
【００５７】
１：電線
１０：ワイヤハーネス
１２，１２Ａ，１２Ｂ：外装部材
１２ａ：谷部
１２ｂ：山部
１３：平滑部
２１：屈曲部
２２：低可撓部
３１：ヒータ
ＨＡ：温風
【図１】
2017055553.tif 000003
【図２】
2017055553.tif 000004
【図３】
2017055553.tif 000005
【図４】
2017055553.tif 000006
【図５】
2017055553.tif 000007
【図６】
2017055553.tif 000008
【図７】
2017055553.tif 000009